【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
芳香環コアを有するジアミド化合物を含む結晶性成分、
非晶質成分、および
場合により色素、
を含み、
前記非晶質成分が、ジ−ＤＬ−メチルＬ−酒石酸、ジ−Ｌ−メチルＬ−酒石酸、ジ−Ｌ−メチルＤＬ−酒石酸、ジ−ＤＬ−メチルＤＬ−酒石酸もしくはこれらの立体異性体または混合物からなる群から選択される、相変化インク組成物。
【請求項２】
前記ジアミド化合物が、式１の化合物：
【化１】
2014185344.tif 000001
（式中、Ｒ’およびＲ’’は式２または３の有機アミド基：
【化２】
2014185344.tif 000002
（式中、Ｒ、Ｒ１およびＲ２は、水素原子または直鎖、分枝型もしくは環状の、飽和もしくは不飽和の、脂肪族もしくは芳香族のＣ１からＣ４０の置換基からからなる群から独立して選択され、Ｒ、Ｒ１およびＲ２の少なくとも１つは水素原子ではない）から独立して選択される）
である、請求項１に記載の組成物。
【請求項３】
前記ジアミド化合物が、式４の化合物：
【化３】
2014185344.tif 000003
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
である、請求項１に記載の組成物。
【請求項４】
前記Ｒ１およびＲ２が独立して、水素、エチル、ｎ−プロピル、ｉ−ブチル、および、置換または非置換のＣ１０からＣ２５のアルキル基からなる群から選択され、任意選択の置換基は、Ｏ、ＮまたはＳ含有官能基であってよい、請求項３に記載の組成物。
【請求項５】
前記ジアミド化合物が、式５の化合物：
【化４】
2014185344.tif 000004
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
である、請求項１に記載の組成物。
【請求項６】
前記Ｒ１およびＲ２が独立して、水素原子、ｎ−プロピル、ｉ−プロピル、ｎ−ブチル、アリル、および、置換または非置換のＣ１０からＣ２５のアルキル基からなる群から選択され、任意選択の置換基は、Ｏ、ＮまたはＳ含有官能基であってよい、請求項５に記載の組成物。
【請求項７】
前記ジアミド化合物が、式６の化合物：
【化５】
2014185344.tif 000005
（式中、Ｒは、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から選択される）
である、請求項１に記載の組成物。
【請求項８】
前記ＲがＣ５−Ｃ７のアルキル基である、請求項７に記載の組成物。
【請求項９】
前記色素が、染料、顔料またはこれらの混合物から選択される、請求項１〜８に記載の組成物。
【請求項１０】
前記結晶性成分および前記非晶質成分が、６０：４０から９５：５の結晶性成分対非晶質成分の重量比で配合されている、請求項１〜９に記載の組成物。
【請求項１１】
相変化インク組成物を含むインクジェット印刷デバイスを提供するステップであり、該相変化インク組成物は、固体形態であり、（ａ）芳香環コアを有するジアミド化合物を含む結晶性成分、（ｂ）ジ−ＤＬ−メチルＬ−酒石酸、ジ−Ｌ−メチルＬ−酒石酸、ジ−Ｌ−メチルＤＬ−酒石酸、ジ−ＤＬ−メチルＤＬ−酒石酸もしくはこれらの立体異性体または混合物からなる群から選択される、非晶質成分、および（ｃ）場合によって色素を含む、提供するステップ、
前記固体相変化インク組成物を、前記組成物の融点を超える温度に加熱し、前記インク組成物を液化するステップ、および
前記液化されたインク組成物を、インクジェット印刷デバイスから基材に噴射し、画像を形成するステップ、
を含む方法。
【請求項１２】
前記ジアミド化合物における有機アミド基のそれぞれが、少なくとも脂肪族置換基または芳香族置換基を含む、請求項１１に記載の方法。
【請求項１３】
前記結晶性成分が、式４の化合物：
【化６】
2014185344.tif 000006
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
を含む、請求項１１に記載の方法。
【請求項１４】
前記結晶性成分が、式５の化合物：
【化７】
2014185344.tif 000007
（式中、Ｒ１およびＲ２は、水素原子、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない）
を含む、請求項１１に記載の方法。
【請求項１５】
結晶性成分が、式６の化合物：
【化８】
2014185344.tif 000008
（式中、Ｒは、アルキル基、アルケニル基、アリール基、アリールアルキル基またはアルキルアリール基、場合により１または複数のヘテロ原子を含有するアルキル、アルケニル、アリール、アリールアルキルおよびアルキルアリールの基からなる群から選択される）
を含む、請求項１１に記載の方法。
【請求項１６】
前記色素が、染料、顔料またはこれらの混合物から選択される、請求項１１〜１５のいずれか一項に記載の方法。
【請求項１７】
前記結晶性成分および前記非晶質成分が、６０：４０から９５：５の結晶性成分対非晶質成分の重量比で配合されている、請求項１１〜１６のいずれか一項に記載の方法。
【請求項１８】
芳香環コアを有するジアミド化合物を含む結晶性成分、
非晶質成分、および
場合により色素、
を含み、
前記結晶性成分は、１４０℃の温度において１０ｃｐｓ未満の粘度を有し、前記非晶質成分は、１４０℃の温度において１００ｃｐｓ未満の粘度を有し、前記結晶性成分は、１×１０６ｃｐｓを超える粘度を室温において有し、前記非晶質成分は１×１０５ｃｐｓを超える粘度を室温において有する、相変化インク組成物。
【請求項１９】
前記ジアミド化合物が、式１の化合物：
【化９】
2014185344.tif 000009
（式中、Ｒ’およびＲ’’は式２または３の有機アミド基：
【化１０】
2014185344.tif 000010
（式中、Ｒ、Ｒ１およびＲ２は、水素原子または直鎖、分枝型もしくは環状の、飽和もしくは不飽和の、脂肪族もしくは芳香族のＣ１からＣ４０の置換基からからなる群から独立して選択され、Ｒ、Ｒ１およびＲ２の少なくとも１つは水素原子ではない）から独立して選択される）
である、請求項１８に記載の組成物。
【請求項２０】
前記Ｒが、アルキル基、アルケニル基、アリール基、アリールアルキル基、アルキルアリール基、ならびに、１または複数のヘテロ原子を含有するアルキル、アルケニル、アリール、アリールアルキルおよびアルキルアリールの基からなる群から選択され、
前記Ｒ１およびＲ２が独立して、水素原子、アルキル基、アルケニル基、アリール基、アリールアルキル基、アルキルアリール基、ならびに、１または複数のヘテロ原子を含有するアルキル、アルケニル、アリール、アリールアルキルおよびアルキルアリールの基からなる群から独立して選択され、Ｒ１およびＲ２の少なくとも１つは水素原子ではない、
請求項１９に記載の組成物。